(57)【要約】【課題】伸縮装置を設置する際、設置後の伸縮装置の補修を不要とすることが可能な伸縮装置およびその設置用治具の提供。【解決手段】橋梁の遊間を挟んで対向配置される櫛形形状のジョイント部２ａ，２ｂを有する伸縮装置１の設置用治具３ａ，３ｂ，４ａ，４ｂであって、ジョイント部２ａ，２ｂの補強リブ５のジョイント部２ａ，２ｂの天面から突出しない位置に設けられたナット６に対し、ボルト７によって固定されるベースプレート１３，１４，１５，２１，２２と、ベースプレート１３，１４，１５，２１，２２に設けられ、ジョイント部２ａ，２ｂの遊間を調整するための遊間調整プレート１０，２０とを有する。【選択図】図２
2014181492.tif 000002
【特許請求の範囲】
【請求項１】
橋梁の遊間を挟んで対向配置される櫛形形状のジョイント部を有する伸縮装置であって、
前記ジョイント部の遊間を調整するための遊間調整部と、前記遊間調整部が設けられるベース部とを有する設置用治具の前記ベース部がボルトによって固定されるナットを、前記ジョイント部の補強リブの前記ジョイント部の天面から突出しない位置に備えた伸縮装置。
【請求項２】
橋梁の遊間を挟んで対向配置される櫛形形状のジョイント部を有する伸縮装置の設置用治具であって、
前記ジョイント部の補強リブの前記ジョイント部の天面から突出しない位置に設けられたナットに対し、ボルトによって固定されるベース部と、
前記ベース部に設けられ、前記ジョイント部の遊間を調整するための遊間調整部とを有する設置用治具。
【請求項３】
吊り上げ装置により吊り上げるための吊り上げ部を有する請求項２記載の設置用治具。
【発明の詳細な説明】
【技術分野】
【０００１】
本発明は、橋梁に設けられる伸縮装置およびその設置用治具に関する。
【背景技術】
【０００２】
橋梁には、温度変化による橋梁の伸縮や、地震や車両の通行に伴う振動による橋梁の変形等を吸収するために伸縮装置が設けられている。従来の伸縮装置としては、比較的大きな伸縮や変形等に適用可能な一対の櫛形形状のジョイント、いわゆるフィンガージョイントが多用されている（例えば、特許文献１〜３参照。）。フィンガージョイントは、一対の櫛形形状のジョイント部が、橋梁の遊間を挟んで対向配置される。
【０００３】
図７および図８は従来の鋼製伸縮装置の設置手順を示す説明図であって、図７は部分拡大平面図、図８は図７のＣ−Ｃ断面図である。例えば、一般的な鋼製伸縮装置の設置は次の手順により行われる。
（１）伸縮装置遊間調整用プレート１０１ａ，１０１ｂを伸縮装置１００の表面に溶接固定する。
（２）伸縮装置吊り上げ用の吊り金具１０２を伸縮装置１００の表面に溶接固定する。
（３）現地設置後の伸縮装置１００の表面から伸縮装置遊間調整用プレート１０１ａ，１０１ｂおよび吊り金具１０２を撤去し、撤去痕の補修を実施する。
【先行技術文献】
【特許文献】
【０００４】
【特許文献１】特開平７−２６８８１５号公報
【特許文献２】特開２００５−９３１２号公報
【特許文献３】特開２００７−３２０５７号公報
【発明の概要】
【発明が解決しようとする課題】
【０００５】
前述のように、従来の鋼製伸縮装置では、設置の際に伸縮装置遊間調整用プレート１０１ａ，１０１ｂおよび吊り金具１０２の治具を伸縮装置の表面に溶接固定しているため、その撤去後に伸縮装置の表面が損傷するため、補修を行う必要があり、コスト増の要因となっている。
【０００６】
そこで、本発明においては、伸縮装置を設置する際、設置後の伸縮装置の補修を不要とすることが可能な伸縮装置およびその設置用治具を提供することを目的とする。
【課題を解決するための手段】
【０００７】
本発明の伸縮装置は、橋梁の遊間を挟んで対向配置される櫛形形状のジョイント部を有する伸縮装置であって、ジョイント部の遊間を調整するための遊間調整部と、遊間調整部が設けられるベース部とを有する設置用治具のベース部がボルトによって固定されるナットを、ジョイント部の補強リブのジョイント部の天面から突出しない位置に備えたものである。
【０００８】
また、本発明の設置用治具は、橋梁の遊間を挟んで対向配置される櫛形形状のジョイント部を有する伸縮装置の設置用治具であって、ジョイント部の補強リブのジョイント部の天面から突出しない位置に設けられたナットに対し、ボルトによって固定されるベース部と、ベース部に設けられ、ジョイント部の遊間を調整するための遊間調整部とを有するものである。
【０００９】
本発明の伸縮装置およびその設置用治具によれば、伸縮装置のジョイント部の補強リブに備えられたナットに対し、ボルトを締め付けることによって設置用治具のベース部を固定し、このベース部に設けられた遊間調整部によりジョイント部の遊間を調整して伸縮装置を簡単に設置することができる。そして、設置後はボルトを緩めることによって設置用治具を伸縮装置から簡単に取り外すことができる。また、伸縮装置のジョイント部の補強リブに備えられたナットは、ジョイント部の天面から突出しない位置に設けられているため、そのまま橋梁に埋め込むことが可能である。
【００１０】
ここで、本発明の設置用治具は、吊り上げ装置により吊り上げるための吊り上げ部を有するものであることが望ましい。これにより、伸縮装置の設置の際には、この設置用治具の吊り上げ部を利用して吊り上げ装置により吊り上げることが可能となる。また、設置後には、前述のようにボルトを緩めることによって設置用治具とともに伸縮装置から簡単に取り外すことが可能となる。
【発明の効果】
【００１１】
（１）本発明によれば、従来のように設置用治具を伸縮装置に溶接固定する必要がなく、伸縮装置のジョイント部の補強リブに備えられたナットはそのまま橋梁に埋め込むことで処理することが可能となるため、設置後の伸縮装置の補修が不要となり、簡単に伸縮装置を設置することが可能となる。
【００１２】
（２）設置用治具が吊り上げ装置により吊り上げるための吊り上げ部を有するものであることにより、伸縮装置の設置の際には、この設置用治具の吊り上げ部を利用して吊り上げ装置により吊り上げることが可能となり、設置後には、設置用治具とともに伸縮装置から簡単に取り外すことが可能となるため、より簡単に伸縮装置を設置することが可能となる。
【図面の簡単な説明】
【００１３】
【図１】本発明の実施の形態における設置用治具を装着した伸縮装置の平面図である。
【図２】図１のＡ部拡大図である。
【図３】図２のＢ−Ｂ断面図である。
【図４】設置用治具を取り外した状態の図１のＡ部拡大図である。
【図５】第１の設置用治具の詳細を示す図であって、（ａ）は平面図、（ｂ）は正面図、（ｃ）は右側面図である。
【図６】第２の設置用治具の詳細を示す図であって、（ａ）は平面図、（ｂ）は正面図、（ｃ）は右側面図である。
【図７】従来の鋼製伸縮装置の設置手順を示す部分拡大平面図である。
【図８】図７のＣ−Ｃ断面図である。
【発明を実施するための形態】
【００１４】
図１は本発明の実施の形態における設置用治具を装着した伸縮装置の平面図、図２は図１のＡ部拡大図、図３は図２のＢ−Ｂ断面図、図４は設置用治具を取り外した状態の図１のＡ部拡大図、図５は第１の設置用治具の詳細を示す図であって、（ａ）は平面図、（ｂ）は正面図、（ｃ）は右側面図、図６は第２の設置用治具の詳細を示す図であって、（ａ）は平面図、（ｂ）は正面図、（ｃ）は右側面図である。
【００１５】
図１において、本発明の実施の形態における鋼製の伸縮装置１は、橋梁の遊間を挟んで対向配置される一対の櫛形形状のジョイント部２ａ，２ｂを有する。本発明の実施の形態における設置用治具には、ジョイント部２ａ，２ｂの遊間を調整するとともに吊り金具として機能する第１の設置用治具３ａ，３ｂと、ジョイント部２ａ，２ｂの遊間を調整するのみの第２の設置用治具４ａ，４ｂとがある。
【００１６】
設置用治具３ａ，３ｂおよび設置用金具４ａ，４ｂは、図２および図３に示すように、ジョイント部２ａ，２ｂを挟むようにジョイント部２ａ，２ｂの天面（上面）上に配置され、ボルト７によって固定される。このボルト７がねじ込まれるナット６は、図３および図４に示すように、ジョイント部２ａ，２ｂの補強リブ５に溶接されている。このナット６は、設置用治具３ａ，３ｂ，４ａ，４ｂが伸縮装置１上に配置された際に、ボルト７がねじ込まれる位置に対応する位置であって、ジョイント部２ａ，２ｂの天面から突出しない位置に設けられている。
【００１７】
設置用治具３ｂは、図５に示すように、ジョイント部２ａ，２ｂの遊間を調整するための遊間調整部を構成する遊間調整プレート１０，１０と、図示しない吊り上げ装置により吊り上げるための吊り上げ部を構成する吊り上げリブ１１と、補強リブ１２と、遊間調整プレート１０，１０、吊り上げリブ１１および補強リブ１２，１２が立設されるベース部を構成するベースプレート１３，１４，１５とを有する。なお、図示しないが、設置用治具３ｂと一対の設置用治具３ａは、設置用治具３ｂとほぼ同一の構成であるため、詳細な説明は省略する。
【００１８】
設置用治具３ｂの遊間調整プレート１０，１０には、水平方向に長い長孔１６が形成されている。設置用治具３ａ，３ｂをジョイント部２ａ，２ｂの天面上に配置する際には、それぞれの遊間調整プレート１０，１０同士を重ね合わせるように配置し、この長孔１６を利用してボルトおよびナットにより共締めすることで、ジョイント部２ａ，２ｂの遊間を調整する。なお、図示しないが、他方の設置用治具３ａの遊間調整プレートには、通常の丸孔が形成されている。
【００１９】
ベースプレート１４，１５はベースプレート１３に溶接されている。遊間調整プレート１０，１０は、ベースプレート１３，１４，１５上に互いに平行となるように溶接されている。吊り上げリブ１１は、遊間プレート１０，１０間のベースプレート１３上に遊間プレート１０，１０に対して直角となるように溶接されている。補強リブ１２，１２は、ベースプレート１３の吊り上げリブ１１の延長上に溶接されている。吊り上げリブ１１には、吊り上げ装置により吊り上げるためのフックやワイヤーロープ等を通すための貫通孔１７が形成されている。
【００２０】
設置用治具４ｂは、図６に示すように、ジョイント部２ａ，２ｂの遊間を調整するための遊間調整部を構成する遊間調整プレート２０と、遊間調整プレート２０が立設されるベース部を構成するベースプレート２１，２２とを有する。なお、図示しないが、設置用治具４ｂと一対の設置用治具４ａは、設置用治具４ｂとほぼ同一の構成であるため、詳細な説明は省略する。
【００２１】
設置用治具４ｂの遊間調整プレート２０には、水平方向に長い長孔２３が形成されている。設置用治具４ａ，４ｂをジョイント部２ａ，２ｂの天面上に配置する際には、それぞれの遊間調整プレート２０同士を重ね合わせるように配置し、この長孔２３を利用してボルトおよびナットにより共締めすることで、ジョイント部２ａ，２ｂの遊間を調整する。なお、図示しないが、他方の設置用治具４ａの遊間調整プレートには、通常の丸孔が形成されている。ベースプレート２１，２２は互いに溶接されている。遊間調整プレート２０は、ベースプレート２１，２２上に溶接されている。
【００２２】
上記構成の伸縮装置１および設置用治具３ａ，３ｂ，４ａ，４ｂでは、伸縮装置１のジョイント部２ａ，２ｂの補強リブ５に備えられたナット６に対し、ボルト７を締め付けることによって設置用治具３ａ，３ｂ，４ａ，４ｂを伸縮装置１に固定し、遊間調整プレート１０，２０によりジョイント部２ａ，２ｂの遊間を調整して伸縮装置１を簡単に設置することができる。
【００２３】
そして、設置後はボルト７を緩めることによって設置用治具３ａ，３ｂ，４ａ，４ｂを伸縮装置１から簡単に取り外すことができる。また、伸縮装置１のジョイント部２ａ，２ｂの補強リブ５に備えられたナット６は、ジョイント部２ａ，２ｂの天面から突出しない位置に設けられているため、そのまま橋梁にモルタル等で埋め込むことで処理することができ、設置後の伸縮装置１の補修は不要であり、簡単に伸縮装置１を設置することが可能である
【００２４】
また、設置用治具３ａ，３ｂには、吊り上げ装置により吊り上げるための吊り上げリブ１１を備えているので、伸縮装置の設置の際には、この吊り上げリブ１１の貫通孔１７を利用して吊り上げ装置により吊り上げることが可能であり、従来のように別途吊り金具を設ける必要がない。また、設置後には、前述のように設置用治具３ａ，３ｂとともに伸縮装置１から簡単に取り外すことができ、設置後の伸縮装置１の補修も不要である。
【産業上の利用可能性】
【００２５】
本発明の伸縮装置およびその設置用治具は、温度変化による橋梁の伸縮や、地震や車両の通行に伴う振動による橋梁の変形等を吸収するための伸縮装置およびその設置用治具として有用である。
【符号の説明】
【００２６】
１  伸縮装置
２ａ，２ｂ  ジョイント部
３ａ，３ｂ，４ａ，４ｂ  設置用治具
５  補強リブ
６  ナット
７  ボルト
１０，２０  遊間調整プレート
１１  吊り上げリブ
１２  補強リブ
１３，１４，１５，２１，２２  ベースプレート
１６，２３  長孔
１７  貫通孔
【図１】
2014181492.tif 000003
【図２】
2014181492.tif 000004
【図３】
2014181492.tif 000005
【図４】
2014181492.tif 000006
【図５】
2014181492.tif 000007
【図６】
2014181492.tif 000008
【図７】
2014181492.tif 000009
【図８】
2014181492.tif 000010